(57)【要約】    【課題】      ＨＳＤＰＡ対応の移動機に用いられる受信装置において、消費電力を抑えつつ復調精度を向上させることができるようにすること。    【解決手段】  復調性能が良く電力消費の大きな復調方式のアドバンスド復調部１０１１と、復調性能があまり良くないが電力消費の小さな復調方式の通常復調部１０１０とを備えて、アドバンスド復調部１０１１を用いると有効に復調精度が向上するときにのみアドバンスド復調部１０１１に切り替え、その他のときには通常復調部１０１０に切り替える。これにより、消費電力を抑えつつ復調精度の向上が図れる。  【選択図】      図１
2006080787.tif 000002
【特許請求の範囲】
【請求項１】
第１の復調方式を採用した第１の受信手段と、
前記第１の復調方式と比較して、復調性能は悪いが電力消費の小さな第２の復調方式を採用した第２の受信手段と、
所定の条件に基づいて、前記第１の受信手段を用いるか前記第２の受信手段を用いるかを切り替える切り替え手段と、
を具備することを特徴とする受信装置。
【請求項２】
前記切り替え手段は、無線伝搬路の状況を基に前記第１の受信手段と前記第２の受信手段の切り替えを行うことを特徴とする請求項１に記載の受信装置。
【請求項３】
前記切り替え手段は、使用する通信チャネル及びサービス品質を基に前記第１の受信手段と前記第２の受信手段の切り替えを行うことを特徴とする請求項１に記載の受信装置。
【請求項４】
前記切り替え手段は、装置本体に電源を供給するバッテリの残電力量を基に前記第１の受信手段と前記第２の受信手段の切り替えを行うことを特徴とする請求項１に記載の受信装置。
【請求項５】
前記切り替え手段は、受信スループットを基に前記第１の受信手段と前記第２の受信手段の切り替えを行うことを特徴とする請求項１に記載の受信装置。
【請求項６】
前記切り替え手段は、パケットが送られてくることの予測を基に前記第１の受信手段と前記第２の受信手段の切り替えを行うことを特徴とする請求項１に記載の受信装置。
【請求項７】
前記切り替え手段は、基地局又はその上位局である制御局から伝搬路品質の報告を要求されたこと、あるいは伝搬路品質の報告頻度を高く要求されたことを基に前記第１の受信手段と前記第２の受信手段の切り替えを行うことを特徴とする請求項６に記載の受信装置。
【請求項８】
前記切り替え手段は、基地局又はその上位局である制御局がシステム負荷を基に行った切り替えの判断に従って前記第１の受信手段と前記第２の受信手段の切り替えを行うことを特徴とする請求項１に記載の受信装置。
【請求項９】
前記切り替え手段は、自己を搭載した移動機に対して、基地局又はその上位局である制御局が送信してきたハンドオーバする旨の通知を基に前記第１の受信手段と前記第２の受信手段の切り替えを行うことを特徴とする請求項１に記載の受信装置。
【請求項１０】
前記切り替え手段は、前記第１の受信手段が復調精度改善に効果がある送信方法を基地局が用いているか否かを基に前記第１の受信手段と前記第２の受信手段の切り替えを行うことを特徴とする請求項１に記載の受信装置。
【請求項１１】
前記切り替え手段は、基地局又は基地局より上位の局からの通知信号を基に前記第１の受信手段と前記第２の受信手段の切り替えを行うことを特徴とする請求項１に記載の受信装置。
【請求項１２】
前記切り替え手段は、前記第１の受信手段を用いた場合と前記第２の受信手段を用いた場合との受信結果の変化を基に前記第１の受信手段と前記第２の受信手段の切り替えを行うことを特徴とする請求項１に記載の受信装置。
【請求項１３】
前記切り替え手段は、ユーザの指示を基に前記第１の受信手段と前記第２の受信手段の切り替えを行うことを特徴とする請求項１に記載の受信装置。
【請求項１４】
前記第１の受信手段と前記第２の受信手段のうち、選択された方に関する表示を行う表示手段を具備することを特徴とする請求項１から請求項１３のいずれかに記載の受信装置。
【請求項１５】
請求項１から請求項１４のいずれかに記載の受信装置を具備することを特徴とする移動機。
【請求項１６】
第１の復調方式により受信を行う第１の受信工程と、
前記第１の復調方式と比較して、復調性能は悪いが電力消費の小さな第２の復調方式により受信を行う第２の受信工程と、
所定の条件に従って前記第１の受信工程と前記第２の受信工程のいずれか一方を選択する選択工程と、
を具備することを特徴とする受信方法。
【発明の詳細な説明】
【技術分野】
【０００１】
本発明は、ＨＳＤＰＡ（High Speed Downlink Packet Access）等の通信システムに用いて好適な受信装置及び受信方法に関する。
【背景技術】
【０００２】
図１１は、従来のＨＳＤＰＡ対応のＣＤＭＡ(Code Division Multiple Access;符号分割多元接続)方式の移動機（携帯電話等の通信端末）に用いられる受信装置の概略構成を示すブロック図である。この図に示す受信装置１２０は、図示せぬ基地局から送信された信号をアンテナ１２０１で捉え、その信号を無線受信部１２０２で周波数変換やＡＤ変換等の処理を行い、チャネル毎に設けられたＤＰＣＨ(Dedicated Physical Channel)復調・復号部１２０３、ＨＳ−ＳＣＣＨ(High Speed Shared Control Channel)復調・復号部１２０４、ＨＳ−ＰＤＳＣＨ(High Speed Physical Downlink Shared Channel)復調・復号部１２０５に入力する。復調・復号部１２０３〜１２０５では、それぞれのチャネルに応じた拡散コードを用いた逆拡散処理や適応受信処理、例えば等化器や干渉キャンセラなどを用いた処理などを行い、復調結果を用いて復号する。
【０００３】
ここで、ＤＰＣＨでは主に音声信号が通信され、ＨＳ−ＰＤＳＣＨでは主にパケットデータが通信される。また、ＨＳ−ＳＣＣＨではＨＳ−ＰＤＳＣＨで通信するための制御情報が通信される。
【０００４】
一方、図１２は、従来の受信ダイバーシチ方式を採用した受信装置の概略構成を示すブロック図である（例えば、特許文献１参照）。この図において、受信装置１３０は、２つのアンテナ１３０１、１３０２と、２つの無線受信部１３０３、１３０４と、選択合成部１３０５とを備えており、通常ダイバーシチ受信を行うため、アンテナ１３０１及び無線受信部１３０３の受信系とアンテナ１３０２と無線受信部１３０４の受信系それぞれに電源を供給している。単一の基地局から信号が送信されている場合でも十分な受信誤り率が得られている場合に、複数の基地局から同じ信号が同時に送信されるタイムスロットにおいては、片方の受信系への電源供給を止めることで消費電力の削減を図っている。
【特許文献１】特開昭６０−５２１３２号公報
【発明の開示】
【発明が解決しようとする課題】
【０００５】
しかしながら、従来の受信装置においては、次のような問題がある。
すなわち、受信ダイバーシチやイコライザやキャンセラなどの適応受信方法などの付加的な回路を持つ受信装置（以後、Ａｄｖａｎｃｅｄ受信装置と呼ぶ）を常時用いる方式では、復調精度が向上する代わりに消費電力が大きくなり、このため通話時間や待ち受け時間が短くなってしまう。
【０００６】
また、ＣＤＭＡのような干渉をなるべく小さくする必要のあるシステムでは、図１２に示した従来技術のように定期的に過剰な受信電力を得られるようにはなっておらず、常に最小限の電力で信号が供給される。このため、Ａｄｖａｎｃｅｄ受信方式が必要ない場合を見分けるのが困難になっている。また、イコライザやキャンセラは、自セル干渉量対他セル干渉量などの無線伝搬路の状況によりその改善効果が変化し、消費電力の割には復調精度が改善しない場合がある。
【０００７】
更に、ＨＳＤＰＡのように送信パケットスケジューリングを行う場合、パケットの送出優先度の基準として、伝搬路状況を加味するＭＡＸ ＣＩＲ方式やＰｒｏｐｏｒｔｉｏｎａｌ Ｆａｉｒｎｅｓｓ方式が用いられていれば、通常の復調精度改善効果に加えて割り当て頻度も向上するためＡｄｖａｎｃｅｄ受信方式を用いる効果は大きい。しかしながら、Ｒｏｕｎｄ Ｒｏｂｉｎ方式の様に伝搬路状況を加味しないスケジューリング方式ではＡｄｖａｎｃｅｄ受信の効果もそれほど大きくなく、無駄に電力を消費してしまう。逆にＡｄｖａｎｃｅｄ受信無しでは高速通信または高信頼性、低遅延などの要求が高い場合に要求を満たせない確率が高まる。
【０００８】
本発明はかかる点に鑑みてなされたものであり、消費電力を抑えつつ復調精度を向上させることができる受信装置及び受信方法を提供することを目的とする。
【課題を解決するための手段】
【０００９】
本発明の受信装置は、第１の復調方式を採用した第１の受信手段と、前記第１の復調方式と比較して復調性能は悪いが電力消費の小さな第２の復調方式を採用した第２の受信手段と、所定の条件に基づいて、前記第１の受信手段を用いるか前記第２の受信手段を用いるかを切り替える切り替え手段と、を具備する構成を採る。
【発明の効果】
【００１０】
本発明によれば、消費電力を抑えつつ復調精度を向上させることができる。
【発明を実施するための最良の形態】
【００１１】
以下、本発明の実施の形態について、図面を参照して詳細に説明する。
【００１２】
（実施の形態１）
図１は、本発明の実施の形態１に係る受信装置の概略構成を示すブロック図である。
図１において、本実施の形態の受信装置１００は、アンテナ１００１と、無線受信部１００２と、パスサーチ部１００３と、複数の逆拡散部１００４と、伝搬路推定部１００５と、切り替え判断部１００６と、復調部１００７と、復号部１００８とを備えている。特に、切り替え判断部１００６と復調部１００７以外の部分は従来用いられているものと同様である。
【００１３】
図２は、復調部１００７の構成を示すブロック図であり、ＲＡＫＥ受信装置のような通常復調部１０１０と、キャンセラなどのアドバンスド(Ａｄｖａｎｃｅｄ)復調部１０１１と、通常復調部１０１０とアドバンスド復調部１０１１のいずれか一方に切り替える切り替えスイッチ１０１２Ａ、１０１２Ｂとを備えている。切り替えスイッチ１０１２Ａは信号入力側に設けられ、切り替えスイッチ１０１２Ｂは信号出力側に設けられる。これらの切り替えスイッチ１０１２Ａ、１０１２Ｂは、切り替え判断部１００６からの指示により、通常復調部１０１０とアドバンスド復調部１０１１の切り替えを行う。
【００１４】
図１に戻り、復号部１００８は、復号した信号から切り替え判断に用いる信号を切り替え判断部１００６に入力する。切り替え判断部１００６は、復号部１００８より入力された信号を基に復調部１００７における通常復調部１０１０とアドバンスド復調部１０１１との切り替えを行う。例えば、ＨＳＤＰＡでは、基地局（図示略）がパケットを送信する前に受信装置１００を備えた移動機に伝搬路品質の報告を要請し、該当する報告が送信されてくると、その結果を基に送信方法を決定する。すなわち、伝搬路品質の報告要請があった場合は、受信装置１００を備えた移動機にパケットを送信する可能性が高い。したがって、受信装置１００を備えた移動機は伝搬路品質の報告要請があった場合に、受信装置１００をアドバンスド受信即ちアドバンスド復調部１０１１に切り替えて確実に受け取れるようにする。
【００１５】
因みに、通常復調部１０１０とアドバンスド復調部１０１１のどちらに切り替えられているかを、受信装置１００が搭載される移動機のディスプレイに画面表示したり、専用ＬＥＤ（発光ダイオード）、共用ＬＥＤ点滅、音、振動などで分かるようにすると、ユーザに切り替え状況を認識させることができるので好適である。
【００１６】
このように、本実施の形態の受信装置１００によれば、例えばパケット通信のように高性能の復調方式を用いると有効に復調精度を高めることができるときにのみアドバンスド復調部１０１１に切り替え、その他のときにはアドバンスド復調部１０１１より電力消費の少ない通常復調部１０１０に切り替えるので、消費電力を抑えつつ復調精度の向上が図れる。この結果、パケット通信を行う場合のスループットを高めつつ、パケット通信以外での消費電力を削減することができるようになる。
【００１７】
また、基地局又はその上位局である制御局（共に図示略）からの指示又は信号入力を受けることがなく、移動機独自で切り替え判断を行えるため、既存の通信システムにおいてもシステムを変更することがなく、低コストで導入することができる。
【００１８】
なお、本実施の形態では、伝送路品質報告の頻度を基にパケットが送信されることを予測したが、上位装置のメモリにある、自局宛のデータ量、受信データ量と要求データ量、パケットデータが受信失敗したことなどを基にパケットが送信されることを判断しても良い。
【００１９】
（実施の形態２）
図３は、本発明の実施の形態２に係る受信装置の概略構成を示すブロック図である。
図３において、本実施の形態の受信装置１００Ｂでは、本装置に電源を供給するバッテリ２０００の残電力を残電力測定部１０１３で測定し、その測定結果を切り替え判断部１００６Ｂに入力する。切り替え判断部１００６Ｂは、その結果を基に通常復調部１０１０とアドバンスド復調部１０１１の切り替えの判断を行う。すなわち、アドバンスド復調部１０１１の電力消費が通常復調部１０１０よりも大きいので、バッテリ２０００の残電力量が所定値以上のときはアドバンス復調部１０１１に切り替え、所定値を下回るとアドバンス復調部１０１１から通常復調部１０１０に切り替える。
【００２０】
このように、本実施の形態の受信装置１００Ｂによれば、バッテリ残電力量に余裕がある場合のみアドバンスド復調部１０１１に切り替えるので、消費電力を抑えつつ復調精度の向上が図れるほか、バッテリ残電力量が少ない場合の緊急通信の妨げ等を回避することができる。さらに、基地局又はその上位局である制御局（共に図示略）からの指示又は信号入力を受けることがなく、移動機独自で切り替え判断を行えるため、既存の通信システムにおいてもシステムを変更することがなく、低コストで導入することができる。
【００２１】
（実施の形態３）
図４は、本発明の実施の形態３に係る受信装置の概略構成を示すブロック図である。
図４において、本実施の形態の受信装置１００Ｃは、通常復調部１０１０とアドバンスド復調部１０１１の切り替えを受信パケットのスループットを基に行う。復号部１００８で復号された受信データをスループット測定部１０１４に入力する。スループット測定部１０１４はパケットデータのスループットを測定し、その結果を切り替え判断部１００６Ｃに入力する。切り替え判断部１００６Ｃはその結果を基に通常復調部１０１０とアドバンスド復調部１０１１の切り替えを行う。すなわち、受信スループットが十分に高いときは通常復調部１０１０に切り替え、低いときにはアドバンス復調部１０１１に切り替える。
【００２２】
このように、本実施の形態の受信装置１００Ｃによれば、受信スループットが十分高い場合にはアドバンスト受信を行わないので、復調精度を保ちつつ消費電力の削減が図れる。さらに、基地局又はその上位局である制御局（共に図示略）からの指示又は信号入力を受けることがなく、移動機独自で切り替え判断を行えるため、既存の通信システムにおいてもシステムを変更することがなく、低コストで導入することができる。
【００２３】
（実施の形態４）
図５は、本発明の実施の形態４に係る受信装置の機能を説明するための図である。
図５において、本実施の形態の受信装置１００Ｄは、上述した実施の形態１の受信装置１００と同等の構成となっており、携帯電話等の移動機２００に搭載されている。この移動機２００における通常復調部１０１０とアドバンスド復調部１０１１の切り替えの判断は基地局の上位局である制御局３００で行われる。
【００２４】
制御局３００では、呼制御などの制御が行われており、その中のシステム負荷判断部判断部３０１が、セクタ当たりのユーザ数や基地局４００における無線リソースなどからシステム負荷を判断し、その結果を移動機２００に通知する。移動機２００では、切り替え判断部１００６Ｄが制御局３００から通知されたシステム負荷に関する信号を基に通常復調部１０１０とアドバンスド復調部１０１１の切り替えの判断を行い、システム負荷が高いときにアドバンスド復調部１０１１に切り替える。
【００２５】
このように、本実施の形態の受信装置１００Ｄによれば、システム負荷が高いときにはアドバンスド受信を行ってシステム容量を増加させるので、呼損となる確率を低下させることができ、さらに消費電力を抑えつつ復調精度の向上が図れる。
【００２６】
なお、本実施の形態では、システム負荷判断部３０１がシステム負荷を判断し、その結果を移動機２００に送信するようにしたが、システム負荷判断部３０１にて切り替え指示信号を生成して移動機２００に送り、その指示に従わせるようにしても良い。
【００２７】
また、本実施の形態では、システム負荷判断部３０１を制御局３００に設けたが、制御局３００以外に基地局４００内、あるいはその他の場所に設けても構わない。
【００２８】
（実施の形態５）
図６は、本発明の実施の形態５に係る受信装置の機能を説明するための図である。
図６において、本実施の形態の受信装置１００Ｅは、上述した実施の形態１の受信装置１００と同等の構成となっており、携帯電話等の移動機２００Ｂに搭載されている。この移動機２００Ｂにおける通常復調部１０１０とアドバンスド復調部１０１１の切り替えの判断は制御局３００側で行われる。制御局３００のハンドオーバ判断部３０２は、ハンドオーバする移動機２００Ｂを認識して、その移動機２００Ｂにハンドオーバする旨の情報を通知する。
【００２９】
移動機２００Ｂは、制御局３００より通知されたハンドオーバ情報を基に通常復調部１０１０とアドバンスド復調部１０１１の切り替えの判断を行い、ハンドオーバ時にアドバンスド復調部１０１１に切り替える。
【００３０】
このように、本実施の形態の受信装置１００Ｅによれば、自己を搭載した移動機２００Ｂに対して、制御局３００からのハンドオーバする旨の通知を基に通常復調部１０１０とアドバンスド復調部１０１１の切り替えを行うので、ハンドオーバ前に基地局４００に溜まっているパケットを移動機２００Ｂに送りきった後にハンドオーバを行うなどの制御が可能となり、伝搬路上のトラフィックの減少、パケット廃棄量の削減により、受信品質を向上させることができる。
【００３１】
なお、本実施の形態では、制御局３００のハンドオーバ判断部３０２がハンドオーバする移動機２００Ｂを認識して、その移動機２００Ｂにハンドオーバする旨の情報を通知し、移動機２００Ｂはそのハンドオーバ情報を基に通常復調部１０１０とアドバンスド復調部１０１１の切り替えを行うようにしたが、ハンドオーバ判断部３０２において切り替え信号を生成し、その信号を移動機２００Ｂに送り、移動機２００Ｂをその指示に従わせるようにしても良い。
【００３２】
（実施の形態６）
図７は、本発明の実施の形態６に係る受信装置の機能を説明するための図である。
図７において、本実施の形態の受信装置１００Ｆは、上述した実施の形態１の受信装置１００と同等の構成となっており、携帯電話等の移動機２００Ｃに搭載されている。基地局５００の制御信号作成部５０２は、スケジューラ５０１の種別によって受信信号切り替えの信号を生成し、移動機２００Ｃに通知する。移動機２００Ｃの受信装置１００Ｆは、基地局５００からの受信信号切り替え信号を基に通常復調部１０１０とアドバンスド復調部１０１１の切り替えを行う。
【００３３】
図８は、受信装置１００Ｆの切り替え判断部１００６Ｆの構成を示すブロック図である。切り替え判断部１００６Ｆは、切り替え制御部１００６１と、比較部１００６２と、割り当て回数測定部１００６３と、メモリ部１００６４とを備えている。割り当て回数測定部１００６３は、現状の通常復調部１０１０を用いた場合の送信割り当て回数を測定し、メモリ部１００６４に格納する。次いで、アドバンスド復調部１０１１を切り替えて、再度割り当て回数を測定する。それらの結果を比較部１００６２で比較し、割り当て回数の変化が大きければ、基地局５００におけるスケジューラが伝搬路情報を基に割り当て回数を制御する方式であると判断し、切り替え判断部１００６Ｆにおいて、アドバンスド復調部１０１１に切り替える。
【００３４】
このように、本実施の形態の受信装置１００Ｆによれば、通常復調部１０１０を用いた場合とアドバンスド復調部１０１１を用いた場合との受信結果の変化を基に通常復調部１０１０とアドバンスド復調部１０１１の切り替えを行うので、既存のシステムを変更することなく、容易に基地局スケジューラの種別を判断することができる。これにより、消費電力を抑えつつ、復調精度の向上が図れる。
【００３５】
なお、アドバンスド復調部１０１１が復調精度改善に特に効果があるような送信方法を基地局側が用いているかどうかを基に切り替えの判断を行うようにしても良い。このようにすることにより、基地局のスケジューラがＲｏｕｎｄ Ｒｏｂｉｎの場合はアドバンスド受信を行わないなどの制御が可能となり、これにより消費電力を抑えつつ復調精度を向上させることができる。さらに、送信側が変調方式として１６ＱＡＭなどの干渉に弱い変調方式を用いて送信しているときのみ、アドバンスド復調部１０１１を用いることも効果的である。
【００３６】
また、基地局又はその上位局である制御局からの通知信号を基に切り替えの判断を行うようにしても良い。このようにすることにより、基地局のスケジューラの種別を確実に判断することが可能となり、より消費電力を抑えつつ復調精度を向上させることができる。
【００３７】
（実施の形態７）
図９は、本発明の実施の形態７に係る受信装置の構成を示すブロック図である。
図９において、本実施の形態の受信装置１００Ｇは、切り替え判断部１００６Ｇにユーザの指示即ちスイッチ操作によるスイッチ信号を入力し、これを基に通常復調部１０１０とアドバンスド復調部１０１１の切り替えの判断を行う。
【００３８】
このように、本実施の形態の受信装置１００Ｇによれば、ユーザの指示を基に通常復調部１０１０とアドバンスド復調部１０１１の切り替えを行うので、ユーザの希望時のみアドバンスド受信を行うなどの制御が可能となり、アドバンスド受信の必要性を主観的に判断することができる。これにより、消費電力を抑えつつ復調精度の向上が図れる。
【００３９】
なお、上記各実施の形態は、ＨＳＤＰＡについてであったが、これに限定されるものではない。
【００４０】
（実施の形態８）
図１０は、アドバンスド受信装置として受信ダイバーシチ方式を採用した受信装置の概略構成を示すブロック図である。この図において、切り替え判断部１００６Ｈからの指示により、２つの系統のアンテナ１００１Ａ、１００１Ｂ及び無線受信部１００２Ａ、１００２Ｂへの電源の供給などを制御する。また、同時に復調方法を変えるようにしても良い。
【産業上の利用可能性】
【００４１】
本発明は、ＨＳＤＰＡ等の通信システムに用いるに好適である。
【図面の簡単な説明】
【００４２】
【図１】本発明の実施の形態１に係る受信装置の概略構成を示すブロック図
【図２】実施の形態１に係る受信装置の復調部の構成を示すブロック図
【図３】本発明の実施の形態２に係る受信装置の概略構成を示すブロック図
【図４】本発明の実施の形態３に係る受信装置の概略構成を示すブロック図
【図５】本発明の実施の形態４に係る受信装置の機能を説明するための図
【図６】本発明の実施の形態５に係る受信装置の機能を説明するための図
【図７】本発明の実施の形態６に係る受信装置の機能を説明するための図
【図８】本発明の実施の形態６に係る受信装置の切り替え判断部の構成を示すブロック図
【図９】本発明の実施の形態７に係る受信装置の概略構成を示すブロック図
【図１０】本発明の実施の形態８に係る受信装置の概略構成を示すブロック図
【図１１】従来の受信装置の概略構成を示すブロック図
【図１２】従来の受信ダイバーシチ方式を採用した受信装置の概略構成を示すブロック図
【符号の説明】
【００４３】
１００、１００Ｂ、１００Ｃ、１００Ｄ、１００Ｅ、１００Ｆ、１００Ｇ  受信装置
２００、２００Ｂ、２００Ｃ  移動機
３００  制御局
３０１  システム負荷判断部
３０２  ハンドオーバ判断部
４００、５００  基地局
５０１  スケジューラ
５０２  制御信号作成部
１００１、１００１Ａ、１００１Ｂ  アンテナ
１００２、１００２Ａ、１００２Ｂ  無線受信部
１００３  パスサーチ部
１００４  逆拡散部
１００５  伝搬路推定部
１００６、１００６Ｂ、１００６Ｃ、１００６Ｄ、１００６Ｆ、１００６Ｇ、１００６Ｈ  切り替え判断部
１００７  復調部
１００８  復号部
１０１０  通常復調部
１０１１  アドバンスド復調部
１０１２Ａ、１０１２Ｂ  切り替えスイッチ
１０１３  残電力測定部
１０１４  スループット測定部
２０００  バッテリ
１００６１  切り替え制御部
１００６２  比較部
１００６３  割り当て回数測定部
１００６４  メモリ部
【図１】
2006080787.tif 000003
【図２】
2006080787.tif 000004
【図３】
2006080787.tif 000005
【図４】
2006080787.tif 000006
【図５】
2006080787.tif 000007
【図６】
2006080787.tif 000008
【図７】
2006080787.tif 000009
【図８】
2006080787.tif 000010
【図９】
2006080787.tif 000011
【図１０】
2006080787.tif 000012
【図１１】
2006080787.tif 000013
【図１２】
2006080787.tif 000014